(57)【要約】      （修正有）【課題】コンパクトで、スキャン効果が良好なワイヤレススキャナーを提供する。【解決手段】被スキャンドキュメントの画像情報の走査に用い、外殻１１、回路基板モジュール、ライトエンジンモジュール１０を有する。回路基板モジュール、及びライトエンジンモジュール１０は外殻１１内に設置され、ライトエンジンモジュール１０は殻体１１を有する。殻体１１は頂点壁１１１、底壁、長端壁、短端壁１１４、及び２個の側壁１１５を有し、頂点壁１１１の短端壁１１４に向う一端縁には下方へと傾斜して斜面１１６を設置し、斜面１１６内側には反射鏡１２を設置する。底壁にはスキャンスウィンドウ１１２１を開設し、スキャンスウィンドウ１１２１の長辺と、殻体１１の底壁の長辺とは平行で、長端壁上にはイメージピックアップモジュール１３を設置する。２個の側壁１１５の内の一方の側壁１１５上には光源回路基板１４を設置し、側壁１１５に対して一角度を呈し上且つ外へ向かい傾斜する。【選択図】図４
0003196375.tif 000002
【実用新案登録請求の範囲】
【請求項１】
ワイヤレススキャナーは、被スキャンドキュメントの画像情報の走査に用い、外殻、回路基板モジュール、ライトエンジンモジュールを有し、
前記回路基板モジュールは、前記外殻内に設置され、全体のすべての機能と動作をコントロールし、
前記ライトエンジンモジュールは、前記外殻内に設置され、殻体を有し、前記殻体は、細長い長方形状を呈し、頂点壁、前記頂点壁と平行な底壁、長端壁、前記長端壁と相対して設置する比較的短い短端壁、及び２個の側壁を有し、前記頂点壁上の短端壁に向う一端縁には、下方へと傾斜して、斜面を設置し、前記斜面内側には、前記殻体内に面する反射鏡を設置し、前記底壁には、細長い形状のスキャンスウィンドウを開設し、前記スキャンスウィンドウの長辺と、前記殻体の底壁の長辺とは平行で、前記長端壁上には、前記殻体内に面するイメージピックアップモジュールを設置し、前記イメージピックアップモジュールは、前記回路基板モジュールに電気的に連接し、前記スキャンスウィンドウ内の、被スキャンドキュメントの画像情報を読み取り、
前記２個の側壁の内の一方の側壁上には、光源回路基板を設置し、且つ光源回路基板は、前記側壁に対して、一角度を呈し上且つ外へ向かい傾斜し、前記光源回路基板は、前記回路基板モジュールに電気的に連接し、前記光源回路基板内側には、複数の光源を設置し、
前記複数の光源が発する光は、前記ライトエンジンモジュールの殻体内部に向かい、且つ光の一部は、前記底壁のスキャンスウィンドウを通過し、前記ライトエンジンモジュールの殻体を射出し、被スキャンドキュメントの上に照射されることを特徴とするワイヤレススキャナー。
【請求項２】
前記ライトエンジンモジュールの、前記光源回路基板を設置する側壁の外表面下側には、外へと突出し、上且つ外へと傾斜した取り付け部が設置され、
前記取り付け部外表面は、内向きに陥没し、取り付け槽が形成され、前記取り付け槽底壁中央部には、前記ライトエンジンモジュールの側壁を貫通する貫通孔が開設され、
前記取り付け槽底壁には、外へと突出して、複数の定位柱が設置され、
前記光源回路基板は、前記取り付け槽の定位柱に対応し、複数の定位孔を開設し、
前記光源回路基板は、前記取り付け部の取り付け槽内に取り付けられ、前記定位柱は、前記定位孔中に挿入して設置され、
前記光源回路基板の複数の光源は、前記貫通孔を通して、前記殻体内へと光線を発射することを特徴とする請求項１に記載のワイヤレススキャナー。
【請求項３】
前記光源回路基板の傾斜角度は６度であることを特徴とする請求項１に記載のワイヤレススキャナー。
【請求項４】
前記光源回路基板上の複数の光源は、横方向に配列する３個のＬＥＤ光源により構成され、
中でも、中央の前記ＬＥＤ光源と、前記長端壁に近い側に設置されるＬＥＤ光源との間の距離は、前記短端壁側に設置されるＬＥＤ光源との間の距離より小さいことを特徴とする請求項１に記載のワイヤレススキャナー。
【請求項５】
前記イメージピックアップモジュールは、回路基板、前記回路基板の反射鏡に面する片側に設置するイメージセンサー、前記イメージセンサー外部に設置されるレンズを有し、  前記レンズは、前記反射鏡を通して底壁のスキャンスウィンドウ位置の被スキャンドキュメントの画像情報を、前記イメージセンサー上に反射してフォーカスし、
前記イメージセンサーは、受け取った画像情報を、電圧信号に転換後、前記回路基板モジュールにアウトプットすることを特徴とする請求項１に記載のワイヤレススキャナー。
【考案の詳細な説明】
【技術分野】
【０００１】
本考案はスキャナーに関し、特にワイヤレススキャナーに関する。
【背景技術】
【０００２】
スキャナーは、コンピューターに外付けする機器設備である。
イメージを補足し、それをコンピューターに転換し、標示、編集、保存、アウトプット可能なデジタル設備である。
【０００３】
従来のハンドヘルドリニアスキャナーは、リニアイメージセンサーを有し、紙フィード式スキャン、或いは直線（一次元）移動方式でイメージをスキャンする。
前者は、機体が重く携帯には不利で、スキャン時には紙を一枚一枚フィードしなければならない。
後者では、イメージの水平線は、同一時間或いは同一プロセス内にスキャンを完成させる必要があるため、その光学イメージ部材の長さは、規格に定義されたスキャンの長さより、長い必要がある。
そのため、製品はすべて長方形を呈し、持ち歩きに不利である。
【０００４】
従来のマウス型スキャナーには、二次元アレイ式光学感知イメージ部材、及び位置センサーを配備する。
各スキャンプロセスで得られたすべての二次元イメージは、スキャン時に読み取られ、得られた相対位置情報を依拠とし、ソフトウエアにより、すべての小さなイメージを貼り合せて大きなイメージとする。
これにより、製品の長さを大幅に縮減することができるが、マウス外形、製品の長さ、幅、高さの三次元を有し、操作のニーズに応える必要があるばかりか、ライトエンジン及び回路基板を収容しなければならない。
中でもライトエンジン中の光学構造、及び外殻の形状は、製品の外形サイズに対して重要な影響を有する。
【０００５】
上述の問題を解決するため、特許文献１に開示するスキャナーは、ベース、ライトエンジンを有する。
ライトエンジンは、スキャンスウィンドウ、複数の光源、反射鏡、イメージ感知モジュールを有する。
スキャンスウィンドウとベースとは、一定角度の傾斜を呈し、複数の光源は、スキャンスウィンドウの軸を取り巻いて設置される。
反射鏡は、スキャンスウィンドウに相対して設置され、且つスキャンスウィンドウ中のイメージを受け取り、及び反射して、光路を変更する。
イメージ感知モジュールは、スキャンスウィンドウのエッジに設置され、反射鏡が反射するイメージを受け取る。
同スキャナーのライトエンジン及び外殻は、比較的小さいため、製品のサイズを縮小することができる。
【０００６】
しかしながら、前記先行技術のスキャナーでは、光源とスキャンスウィンドウを、同一平面に設置するため、反射鏡が、光線を受け取り及び反射する時には、光源そのもののスポットを生じる。
また、スキャンエリアの輝度が低くなり、且つ輝度が不均一になり、これによりスキャナーの効果が不良となってしまうという欠点がある。
【先行技術文献】
【特許文献】
【０００７】
【特許文献１】米国特許ＵＳ８,７０５,１４６  Ｂ２号明細書
【考案の概要】
【考案が解決しようとする課題】
【０００８】
本考案の目的はコンパクトで、スキャン効果が良好なポケットサイズのワイヤレススキャナーを提供することにある。
【課題を解決するための手段】
【０００９】
本考案によるワイヤレススキャナーは、被スキャンドキュメントの画像情報の走査に用い、外殻、回路基板モジュール、ライトエンジンモジュールを有する。
該回路基板モジュールは、該外殻内に設置され、全体のすべての機能と動作をコントロールする。
該ライトエンジンモジュールは、該外殻内に設置され、殻体を有し、該殻体は、細長い長方形状を呈し、頂点壁、該頂点壁と平行な底壁、長端壁、該長端壁と相対して設置する比較的短い短端壁、及び２個の側壁を有する。該頂点壁上の短端壁に向う一端縁には、下方へと傾斜して、斜面を設置し、該斜面内側には、該殻体内に面する反射鏡を設置する。
該底壁には、細長い形状のスキャンスウィンドウを開設し、該スキャンスウィンドウの長辺と、該殻体の底壁の長辺とは平行である。
該長端壁上には、該殻体内に面するイメージピックアップモジュールを設置し、該イメージピックアップモジュールは、該回路基板モジュールに電気的に連接し、該スキャンスウィンドウ内の、被スキャンドキュメントの画像情報を読み取る。
該２個の側壁の内の一方の側壁上には、光源回路基板を設置し、且つ光源回路基板は、該側壁に対して、一角度を呈し上且つ外へ向かい傾斜する。
該光源回路基板は、該回路基板モジュールに電気的に連接し、該光源回路基板内側には、複数の光源を設置する。
該複数の光源が発する光は、該ライトエンジンモジュールの殻体内部に向かい、且つ光の一部は、該底壁のスキャンスウィンドウを通過し、該ライトエンジンモジュールの殻体を射出し、被スキャンドキュメントの上に照射される。
【００１０】
本考案一実施形態によるワイヤレススキャナーにおいて、該ライトエンジンモジュールの、該光源回路基板を設置する側壁の外表面下側には、外へと突出し、上且つ外へと傾斜した取り付け部が設置される。
該取り付け部外表面は、内向きに陥没し、取り付け槽が形成され、該取り付け槽底壁中央部には、該ライトエンジンモジュールの側壁を貫通する貫通孔が開設され、該取り付け槽底壁には、外へと突出して、複数の定位柱が設置される。
該光源回路基板は、該取り付け槽の定位柱に対応し、複数の定位孔を開設し、該光源回路基板は、該取り付け部の取り付け槽内に取り付けられ、該定位柱は、該定位孔中に挿入して設置される。
該光源回路基板の複数の光源は、該貫通孔を通して、該殻体内へと光線を発射する。
【００１１】
本考案一実施形態によるワイヤレススキャナーにおいて、該光源回路基板の傾斜角度は６度である。
【００１２】
本考案一実施形態によるワイヤレススキャナーにおいて、該光源回路基板上の複数の光源は、横方向に配列する３個のＬＥＤ光源により構成され、中でも、中央の該ＬＥＤ光源と、該長端壁に近い側に設置されるＬＥＤ光源との間の距離は、該短端壁側に設置されるＬＥＤ光源との間の距離より小さい。
【００１３】
本考案一実施形態によるワイヤレススキャナーにおいて、該イメージピックアップモジュールは、回路基板、該回路基板の反射鏡に面する片側に設置するイメージセンサー、該イメージセンサー外部に設置されるレンズを有する。
該レンズは、該反射鏡を通して底壁のスキャンスウィンドウ位置の被スキャンドキュメントの画像情報を、該イメージセンサー上に反射してフォーカスする。
該イメージセンサーは、受け取った画像情報を、電圧信号に転換後、該回路基板モジュールにアウトプットする。
【考案の効果】
【００１４】
本考案ワイヤレススキャナーは、ライトエンジンモジュールの反射鏡により、殻体の斜面上に取り付けられ、同時に、光源回路基板は、殻体の側壁上に取り付けられ、側壁に対して一角度を呈して上且つ外へと傾斜する。こうして、ワイヤレススキャナーは、光路配置の扁平化を実現できると同時に、スキャンスウィンドウ中における照度の均一な分布を達成でき、体積を小さくし、走査効果をより良くすることができる。
【図面の簡単な説明】
【００１５】
【図１】本考案の一実施形態によるワイヤレススキャナーの立体図である。
【図２】図１に示すワイヤレススキャナーの別の角度の立体図である。
【図３】図１に示すワイヤレススキャナーのライトエンジンモジュールの立体分解図である。
【図４】図１に示すワイヤレススキャナーのライトエンジンモジュールの別の角度の立体分解図である。
【考案を実施するための形態】
【００１６】
（一実施形態）
図１〜図４に示すとおり、本考案の実施形態によるワイヤレススキャナー（図示なし）は、被スキャンドキュメント（図示なし）の画像情報の走査に用い、外殻（図示なし）、回路基板モジュール（図示なし）、ライトエンジンモジュール１０を有する。
【００１７】
回路基板モジュールは、外殻内に設置され、全体のすべての機能と動作をコントロールする。
ライトエンジンモジュール１０は、外殻内に設置される。
【００１８】
図２〜図４に示すとおり、ライトエンジンモジュール１０は、殻体１１を有する。
殻体１１は、細長い長方形状を呈し、頂点壁１１１、頂点壁１１１と平行な底壁１１２、長端壁１１３、長端壁１１３と相対して設置する比較的短い短端壁１１４、及び２個の側壁１１５を有する。
頂点壁１１１上の短端壁１１４に向う一端縁には、下方へと傾斜して、斜面１１６を設置する。
斜面１１６上には、開槽１１６１を貫通するように開設する。
開槽１１６１内には、殻体１１内に面する反射鏡１２を設置する。
底壁１１２には、細長い形状のスキャンスウィンドウ１１２１を開設する。
スキャンスウィンドウ１１２１の長辺と、殻体１１の底壁１１２の長辺とは平行である。
【００１９】
長端壁１１３上には、殻体１１内に面するイメージピックアップモジュール１３を設置する。
イメージピックアップモジュール１３は、回路基板モジュールに電気的に連接し、スキャンスウィンドウ１１２１内の、被スキャンドキュメントの画像情報を読み取る。
【００２０】
イメージピックアップモジュール１３は、回路基板１３１、回路基板１３１の反射鏡１２に面する片側に設置するイメージセンサー１３２、イメージセンサー１３２外部に設置されるレンズ１３３を有する。
レンズ１３３は、反射鏡１２を通して底壁１１２のスキャンスウィンドウ１１２１位置の被スキャンドキュメントの画像情報を、イメージセンサー１３２上に反射してフォーカスする。
イメージセンサー１３２は、受け取った画像情報を、電圧信号に転換後、回路基板モジュールにアウトプットする。
【００２１】
２個の側壁１１５の内の一方の側壁１１５上には、光源回路基板１４を設置する。
且つ、光源回路基板１４は、側壁１１５に対して、一角度を呈し上且つ外へ向かい傾斜する。
光源回路基板１４は、回路基板モジュールに電気的に連接する。
光源回路基板１４内側には、複数の光源１４１を設置する。
【００２２】
複数の光源１４１が発する光は、ライトエンジンモジュール１０の殻体１１内部に向かい、且つ光の一部は、底壁１１２のスキャンスウィンドウ１１２１を通過し、ライトエンジンモジュール１０の殻体１１を射出し、被スキャンドキュメントの上に照射される。
ライトエンジンモジュール１０の、光源回路基板１４を設置する側壁１１５の外表面下側には、外へと突出し、上且つ外へと傾斜した取り付け部１１５１が設置される。
取り付け部１１５１外表面は、内向きに陥没し、取り付け槽１１５２が形成される。
取り付け槽１１５２底壁中央部には、ライトエンジンモジュール１０の側壁１１５を貫通する貫通孔１１５３が開設される。
取り付け槽１１５２底壁には、外へと突出して、複数の定位柱１１５４が設置される。
【００２３】
光源回路基板１４は、取り付け槽１１５２の定位柱１１５４に対応し、複数の定位孔１４２を開設する。
光源回路基板１４は、取り付け部１１５１の取り付け槽１１５２内に取り付けられ、且つ側壁１１５を封鎖する。
定位柱１１５４は、定位孔１４２中に挿入して設置される。
光源回路基板１４の複数の光源１４１は、貫通孔１１５３を通して、殻体１１内へと光線を発射する。
光源回路基板１４は、光源回路基板１４を設置される側壁１１５に対して、一角度を呈し上且つ外へと傾斜する。
【００２４】
本実施形態において、光源回路基板１４の傾斜角度は６度である。
光源回路基板１４上の複数の光源１４１は、横方向に配列する３個のＬＥＤ光源により構成される。
中でも、中央のＬＥＤ光源と、長端壁１１３に近い側に設置されるＬＥＤ光源との間の距離は、短端壁１１４側に設置されるＬＥＤ光源との間の距離より小さい。
これにより、複数の光源１４１は、殻体１１内において、反射鏡１２の反射を経過後、スキャンスウィンドウ１１２１上に、均一な輝度の光を形成する。
【００２５】
図１〜図４に示すとおり、本考案ワイヤレススキャナーを使用する時には、回路基板モジュールとライトエンジンモジュール１０とを、ワイヤレススキャナーの外殻内に設置する。
反射鏡１２、イメージピックアップモジュール１３、光源回路基板１４は、ライトエンジンモジュール１０の殻体１１内に設置される。
且つイメージピックアップモジュール１３、及び光源回路基板１４と回路基板モジュールは電気的に連接する。
光源回路基板１４上の複数の光源１４１は、スキャンスウィンドウ１１２１上に均一な光線を提供する。
被スキャンドキュメント上の光線は、反射鏡１２を通過して反射された後、イメージピックアップモジュール１３のレンズ１３３によりフォーカスされ、画像情報を受け取る。
イメージピックアップモジュール１３のイメージセンサー１３２が受け取った画像情報は、電圧信号に転換された後、回路基板１３１により回路基板モジュールに出力される。
【００２６】
本考案ワイヤレススキャナーは、ライトエンジンモジュール１０の反射鏡１２により、殻体１１の斜面１１６上に取り付けられる。
同時に、光源回路基板１４は、殻体１１の側壁１１５上に取り付けられ、側壁１１５に対して一角度を呈して上且つ外へと傾斜する。
こうして、ワイヤレススキャナーは、光路配置の扁平化を実現できると同時に、スキャンスウィンドウ１１２１中における照度の均一な分布を達成できる。
こうして、体積を小さくし、走査効果をより良くすることができる。
【符号の説明】
【００２７】
１０  ライトエンジンモジュール
１１  殻体
１１１  頂点壁
１１２  底壁
１１２１  スキャンスウィンドウ
１１３  長端壁
１１４  短端壁
１１５  側壁
１１５１  取り付け部
１１５２  取り付け槽
１１５３  貫通孔
１１５４  定位柱
１１６  斜面
１１６１  開槽
１２  反射鏡
１３  イメージピックアップモジュール
１３１  回路基板
１３２  イメージセンサー
１３３  レンズ
１４  光源回路基板
１４１  光源
１４２  定位孔
【図１】
0003196375.tif 000003
【図２】
0003196375.tif 000004
【図３】
0003196375.tif 000005
【図４】
0003196375.tif 000006